(57)【要約】【課題】  比較的軽快な外観を保ちつつ、四方框型の家具用扉のように比較的堅牢な枠構造を有する二方框型の家具用扉。【解決手段】  中央に配置された鏡板（１０）と、鏡板を左右から挟み込んで鏡板の枠の一部を構成するための一対の框部材（１１ａ，１１ｂ）と、鏡板を上下から挟み込んで鏡板の枠の一部を構成するための一対のキャップ部材（１２ａ，１２ｂ）と、鏡板の上端および下端から間隔を隔てた所定の高さ位置において、一対の框部材の背面の間にほぼ水平方向に連結された一対の押え部材（１４ａ，１４ｂ）とを備えている。一対のキャップ部材は、鏡板の上端および下端から間隔を隔てた所定の高さ位置まで鏡板の背面に当接している。【選択図】  図２
2005155041.tif 000002
【特許請求の範囲】
【請求項１】
二方框型の家具用扉において、
中央に配置された鏡板と、
前記鏡板を左右から挟み込んで前記鏡板の枠の一部を構成するための一対の框部材と、
前記鏡板を上下から挟み込んで前記鏡板の枠の一部を構成するための一対のキャップ部材と、
前記鏡板の上端および下端から間隔を隔てた所定の高さ位置において、前記一対の框部材の背面の間にほぼ水平方向に連結された一対の押え部材とを備え、
前記一対のキャップ部材は、前記鏡板の上端および下端から間隔を隔てた所定の高さ位置まで前記鏡板の背面に当接していることを特徴とする家具用扉。
【請求項２】
互いに対応するキャップ部材と押え部材とは、当該キャップ部材が前記鏡板の上端または下端から離間するのを防止するように係合していることを特徴とする請求項１に記載の家具用扉。
【請求項３】
前記鏡板は、ガラスにより形成されていることを特徴とする請求項１または２に記載の家具用扉。
【発明の詳細な説明】
【技術分野】
【０００１】
本発明は、家具用扉に関し、特に二方框型の家具用扉に関するものである。
【背景技術】
【０００２】
たとえばキャビネットや吊り戸棚などの家具に用いられる扉として、四方框型の家具用扉や二方框型の家具用扉が知られている。四方框型の家具用扉では、たとえば木製の框部材が中央の鏡板を上下および左右から挟み込む形態を有し、４つの框部材により矩形状の比較的堅牢な枠構造が構成される。
【０００３】
一方、二方框型の家具用扉では、たとえば木製の框部材が中央の鏡板を左右から挟み込み且つ例えばアルミニウム製のキャップ部材が鏡板を上下から挟み込む形態を有し、一対の框部材と一対のキャップ部材とにより矩形状の比較的軽快な外観を有する枠構造が構成される。
【発明の開示】
【発明が解決しようとする課題】
【０００４】
たとえばガラスにより形成された鏡板を有する家具用扉が取り付けられたキャビネットや吊り戸棚では、地震時に収納物がガラス製の鏡板に激しくぶつかって鏡板や枠が損傷を受ける恐れがある。特に、二方框型の家具用扉では、鏡板と枠とが一体となって確保している扉全体の強度が地震により大きく損なわれる恐れがある。
【０００５】
本発明は、前述の課題に鑑みてなされたものであり、比較的軽快な外観を保ちつつ、四方框型の家具用扉のように比較的堅牢な枠構造を有する二方框型の家具用扉を提供することを目的とする。
【課題を解決するための手段】
【０００６】
前記課題を解決するために、本発明では、二方框型の家具用扉において、
中央に配置された鏡板と、
前記鏡板を左右から挟み込んで前記鏡板の枠の一部を構成するための一対の框部材と、
前記鏡板を上下から挟み込んで前記鏡板の枠の一部を構成するための一対のキャップ部材と、
前記鏡板の上端および下端から間隔を隔てた所定の高さ位置において、前記一対の框部材の背面の間にほぼ水平方向に連結された一対の押え部材とを備え、
前記一対のキャップ部材は、前記鏡板の上端および下端から間隔を隔てた所定の高さ位置まで前記鏡板の背面に当接していることを特徴とする家具用扉を提供する。
【０００７】
本発明の好ましい態様によれば、互いに対応するキャップ部材と押え部材とは、当該キャップ部材が前記鏡板の上端または下端から離間するのを防止するように係合している。また、前記鏡板は、ガラスにより形成されていることが好ましい。
【発明の効果】
【０００８】
本発明の二方框型の家具用扉では、鏡板の上端および下端から間隔を隔てた所定の高さ位置において、一対の押え部材が一対の框部材の背面の間にほぼ水平方向に連結されている。また、一対のキャップ部材は、鏡板の上端および下端から間隔を隔てた所定の高さ位置まで鏡板の背面に当接している。
【０００９】
すなわち、本発明では、一対のキャップ部材の背面側の当接部が延長され、且つ一対のキャップ部材が一対の押え部材によって補強されている。その結果、前方へ直接露出することのない背面側の延長当接部により一対のキャップ部材の剛性が高められ、たとえばその背面側の延長当接部に隠れて前方から見えないように設けられた一対の押え部材が一対の框部材と協働して本来の枠構造とは別のもう１つの枠構造を構成することになる。
【００１０】
こうして、本発明では、二方框型の家具用扉に特有な比較的軽快な外観を保ちつつ、四方框型の家具用扉のように比較的堅牢な枠構造を実現することができる。その結果、地震時に例えばガラス製の鏡板に収納物が激しくぶつかって鏡板や枠がある程度損傷を受けることがあっても、鏡板と枠との一体性が損なわれにくくなり、ひいては扉全体の強度が地震により大きく損なわれる恐れが少なくなる。
【００１１】
本発明では、当該キャップ部材が鏡板の上端または下端から離間するのを防止するように互いに対応するキャップ部材と押え部材とが係合する構成を採用することにより、地震時に例えばガラス製の鏡板に収納物が激しくぶつかって鏡板や枠がある程度損傷を受けることがあっても、鏡板と枠との一体性がさらに損なわれにくくなり、さらに堅牢な枠構造を実現することができる。具体的には、上側の押え部材により、上側のキャップ部材の中央部における自重などに起因する撓み（変形）を抑えることができる。また、下側の押え部材により下側のキャップ部材の中央部における自重および鏡板の重さなどに起因する撓みを抑えることができる。
【００１２】
また、本発明では、四方框型の家具用扉のように比較的堅牢な枠構造を有するので、さらに軽快な外観を保つためにガラスにより形成された鏡板を用いても、扉全体の強度が地震により大きく損なわれる恐れが少ない。
【発明を実施するための最良の形態】
【００１３】
本発明の実施形態を、添付図面に基づいて説明する。
図１は、本発明の実施形態にかかる家具用扉が取り付けられたキャビネットの構成を概略的に示す斜視図である。また、図２（ａ）は図１に示す家具用扉の上面図であり、（ｂ）はその正面図であり、（ｃ）はその右側面図である。
【００１４】
また、図３は、図１に示す家具用扉の背面図である。また、図４は、図２（ｂ）の線Ａ−Ａに沿った断面図の一部を示す図である。また、図５は、図２（ｂ）の線Ｂ−Ｂに沿った断面図の一部を示す図である。本実施形態では、キャビネット（収納庫）の両開きの扉に対して本発明を適用している。
【００１５】
図１を参照すると、床に置かれたキャビネットＫは、その下段に設けられた２つの引出し収納部ＫＬと、その中段に設けられたオープン収納部ＫＭと、その最上段に設けられた開閉収納部ＫＵとにより構成されている。開閉収納部ＫＵには、本実施形態にかかる二方框型の家具用扉１を対で備えた両開きの扉が取り付けられている。
【００１６】
図２〜図５を参照すると、本実施形態にかかる家具用扉１は、中央に配置された矩形状のガラス製の鏡板（図２において斜線部で示す）１０と、鏡板１０を左右から挟み込んで鏡板１０の枠の一部を構成する一対の框部材１１ａおよび１１ｂと、鏡板１０を上下から挟み込んで鏡板１０の枠の一部を構成する一対のキャップ部材１２ａおよび１２ｂとを備えている。一方の框部材（両開きの扉において中央側の框部材）１１ｂの下端近傍には、扉の開閉のための把手１３が取り付けられている。
【００１７】
また、本実施形態にかかる家具用扉１は、鏡板１０の上端および下端から間隔を隔てた所定の高さ位置において、一対の框部材１１ａおよび１１ｂの背面の間に水平方向に連結された一対の押え部材１４ａおよび１４ｂを備えている。さらに、図４に明瞭に示すように、一対のキャップ部材１２ａおよび１２ｂ（図４では不図示）は、鏡板１０の上端および下端から間隔を隔てた所定の高さ位置まで鏡板１０の背面１０ａに当接している。
【００１８】
換言すれば、一対のキャップ部材１２ａおよび１２ｂは、鏡板１０の背面１０ａに当接して所定の高さ位置まで延びた延長当接部１２ａａおよび１２ｂｂ（図４では不図示）を有する。また、図４に示すように、上側キャップ部材１２ａが鏡板１０の上端から離間するのを防止するように、上側キャップ部材１２ａと上側押え部材１４ａとが係合している。同様に、図示を省略したが、下側キャップ部材１２ｂが鏡板１０の下端から離間するのを防止するように、下側キャップ部材１２ｂと下側押え部材１４ｂとが係合している。
【００１９】
本実施形態では、たとえば木製部材や樹脂やアルミニウムなどを用いて、一対の框部材１１ａおよび１１ｂを形成することができる。また、たとえばアルミニウムや樹脂などを用いて、一対のキャップ部材１２ａおよび１２ｂを形成することができる。また、たとえばアルミニウムのような適当な金属や樹脂などを用いて、一対の押え部材１４ａおよび１４ｂを形成することができる。
【００２０】
また、本実施形態では、図２に示すように、たとえばビス１５を介して、上側キャップ部材１２ａの両端が一対の框部材１１ａおよび１１ｂの上端にそれぞれ連結されている。同様に、図示を省略したが、下側キャップ部材１２ｂの両端が一対の框部材１１ａおよび１１ｂの下端にそれぞれ連結されている。さらに、図３に示すように、たとえばビス１６を介して、一対の押え部材１４ａおよび１４ｂの両端が一対の框部材１１ａおよび１１ｂの背面にそれぞれ連結されている。
【００２１】
以上のように、本実施形態の二方框型の家具用扉１では、鏡板１０の上端および下端から間隔を隔てた所定の高さ位置において、一対の押え部材１４ａおよび１４ｂが一対の框部材１１ａおよび１１ｂの背面の間に水平方向に連結されている。また、一対のキャップ部材１２ａおよび１２ｂが、鏡板１０の上端および下端から間隔を隔てた所定の高さ位置まで鏡板１０の背面に当接している。すなわち、本実施形態では、一対のキャップ部材１２ａおよび１２ｂの背面側の当接部が延長され、且つ一対のキャップ部材１２ａおよび１２ｂが一対の押え部材１４ａおよび１４ｂによって補強されている。
【００２２】
その結果、前方へ直接露出することのない一対のキャップ部材１２ａおよび１２ｂの背面側の延長当接部１２ａａおよび１２ｂｂにより、一対のキャップ部材１２ａおよび１２ｂの剛性が高められている。また、背面側の延長当接部１２ａａおよび１２ｂｂに隠れて前方から見えないように設けられた一対の押え部材１４ａおよび１４ｂが、一対の框部材１１ａおよび１１ｂと協働して、本来の枠構造（１１ａ，１１ｂ，１２ａ，１２ｂ）とは別のもう１つの枠構造（１１ａ，１１ｂ，１４ａ，１４ｂ）を構成している。
【００２３】
こうして、本実施形態では、二方框型の家具用扉に特有な比較的軽快な外観を保ちつつ、四方框型の家具用扉のように比較的堅牢な枠構造を実現することができる。その結果、地震時に例えばガラス製の鏡板１０に開閉収納部ＫＵ内の収納物が激しくぶつかって鏡板１０や枠がある程度損傷を受けることがあっても、鏡板１０と枠との一体性が損なわれにくく、ひいては扉全体の強度が地震により大きく損なわれる恐れが少ない。
【００２４】
また、本実施形態では、キャップ部材（１２ａ，１２ｂ）が鏡板１０の上端または下端から離間するのを防止するように、互いに対応するキャップ部材（１２ａ，１２ｂ）と押え部材（１４ａ，１４ｂ）とが係合している。その結果、地震時に例えばガラス製の鏡板１０に収納物が激しくぶつかって鏡板１０や枠がある程度損傷を受けることがあっても、鏡板１０と枠との一体性が損なわれにくくなっており、非常に堅牢な枠構造が実現されている。具体的には、上側の押え部材１４ａにより、上側のキャップ部材１２ａの中央部における自重などに起因する撓み（変形）を抑えることができる。また、下側の押え部材１４ｂにより下側のキャップ部材１２ｂの中央部における自重および鏡板の重さなどに起因する撓みを抑えることができる。
【００２５】
なお、上述の実施形態では、両開きの扉に対して本発明を適用しているが、これに限定されることなく、片開きの扉に対しても本発明を適用することができる。また、上述の実施形態では、キャビネット（収納庫）の扉に対して本発明を適用しているが、これに限定されることなく、たとえば吊り戸棚のような他の適当な家具の扉に対しても本発明を適用することができる。
【００２６】
また、上述の実施形態では、ガラス製の鏡板を有する扉に対して本発明を適用しているが、これに限定されることなく、たとえば樹脂のような他の適当な材料で形成された鏡板を有する扉に対しても本発明を適用することができる。
【図面の簡単な説明】
【００２７】
【図１】本発明の実施形態にかかる家具用扉が取り付けられたキャビネットの構成を概略的に示す斜視図である。
【図２】（ａ）は図１に示す家具用扉の上面図であり、（ｂ）はその正面図であり、（ｃ）はその右側面図である。
【図３】図１に示す家具用扉の背面図である。
【図４】図２（ｂ）の線Ａ−Ａに沿った断面図の一部を示す図である。
【図５】図２（ｂ）の線Ｂ−Ｂに沿った断面図の一部を示す図である。
【符号の説明】
【００２８】
１  家具用扉
１０  鏡板
１１  框部材
１２  キャップ部材
１３  把手
１４  押え部材
１５，１６  ビス
Ｋ  キャビネット
ＫＬ  引出し収納部
ＫＭ  オープン収納部
ＫＵ  開閉収納部
【図１】
2005155041.tif 000003
【図２】
2005155041.tif 000004
【図３】
2005155041.tif 000005
【図４】
2005155041.tif 000006
【図５】
2005155041.tif 000007